(57)【要約】【課題】使用者の手を煩わせることなく塵埃を底蓋から確実に除去できる、集塵装置を提供する。【解決手段】塵埃を含む空気から塵埃を分離するサイクロン集塵装置Ｙは、塵埃を捕集する集塵容器１１を備える。集塵容器１１には、集塵容器１１から塵埃を排出するための開口３３０が形成されている。サイクロン集塵装置Ｙはさらに、開口３３０を開閉する底蓋３１０であって、開口３３０を閉じた状態で集塵容器１１の内部空間に面する底面３１１を有する、底蓋３１０と、集塵容器１１に固定され、底蓋３１０の底面３１１に向かって開口３３０を経由して集塵容器１１の外部まで延在する、延在部材３２０と、を備える。【選択図】図３
2013017617.tif 000002
【特許請求の範囲】
【請求項１】
塵埃を含む空気を流通させ、空気から塵埃を分離する集塵装置であって、
前記集塵装置に流入する塵埃を捕集する集塵容器を備え、
前記集塵容器には、前記集塵容器から塵埃を排出するための下部開口が形成されており、さらに、
前記下部開口を開閉する底蓋であって、前記下部開口を閉じた状態で前記集塵容器の内部空間に面する底面を有する、底蓋と、
前記集塵容器に固定され、前記底蓋の前記底面に向かって前記下部開口を経由して前記集塵容器の外部まで延在する、延在部材と、を備える、集塵装置。
【請求項２】
前記底蓋は、前記底面に交差する向きの内周面を有し、
前記延在部材は、前記底蓋が前記下部開口を閉じた状態で、前記底蓋の前記内周面に沿って延びるように形成されている、請求項１に記載の集塵装置。
【請求項３】
前記延在部材は、円錐面の一部を構成する形状を有する、請求項２に記載の集塵装置。
【請求項４】
前記集塵容器の外面に取り付けられ、前記底蓋を回動可能に支持するヒンジ部を備え、
前記延在部材は、前記外面に前記ヒンジ部が取り付けられた位置の前記集塵容器の内面に固定されている、請求項１から請求項３のいずれかに記載の集塵装置。
【請求項５】
前記延在部材は、前記延在部材の先端部へ向かって先細る、請求項１から請求項４のいずれかに記載の集塵装置。
【請求項６】
前記集塵容器で捕集された塵埃を前記下部開口側へ移動させ圧縮する圧縮部材を備える、請求項１から請求項５のいずれかに記載の集塵装置。
【請求項７】
請求項１から請求項６のいずれかに記載の集塵装置を備える、電気掃除機。
【発明の詳細な説明】
【技術分野】
【０００１】
本発明は、集塵装置および電気掃除機に関し、特に、塵埃を含む空気から塵埃を分離する集塵装置、および、その集塵装置を備える電気掃除機に関する。
【背景技術】
【０００２】
電気掃除機に関し、従来、サイクロン式のダストボックスにおいて、ダストボックス本体を有し、ダストボックス本体の底部に、ダストボックス本体の下端開口を開閉自在に閉塞する底蓋を設ける構成が開示されている（たとえば、特許文献１参照）。また、ダストボックスの底面を開閉する底蓋に、ダストボックス本体の周壁内面に近接する立上壁を一体的に形成し、底蓋が開放されたときに、ダストボックスの周壁内面に押し付けられて固まった状態の塵埃を立上壁により切り崩す技術が開示されている（たとえば、特許文献２参照）。
【先行技術文献】
【特許文献】
【０００３】
【特許文献１】特開２００９−１４８６３１号公報
【特許文献２】特開２００３−３２５４０１号公報
【発明の概要】
【発明が解決しようとする課題】
【０００４】
特許文献２に記載の技術では、ダストボックスの本体の周壁内面に密着して堆積している塵埃を立上壁により切り崩して底蓋の開放と同時に排出することができるものの、底蓋側に押し付けられて固まった塵埃を取り除くことはできない。底蓋が開放されたときに底蓋に残った塵埃は、使用者が直接触れることにより底蓋から除去しなければならず、使用者の手を煩わせる問題があった。
【０００５】
本発明は上記の課題に鑑みてなされたものであり、その主たる目的は、使用者の手を煩わせることなく塵埃を底蓋から確実に除去できる、集塵装置を提供することである。
【課題を解決するための手段】
【０００６】
本発明に係る集塵装置は、塵埃を含む空気を流通させ、空気から塵埃を分離する集塵装置であって、集塵装置に流入する塵埃を捕集する集塵容器を備える。集塵容器には、集塵容器から塵埃を排出するための下部開口が形成されている。集塵装置はさらに、下部開口を開閉する底蓋であって、下部開口を閉じた状態で集塵容器の内部空間に面する底面を有する、底蓋と、集塵容器に固定され、底蓋の底面に向かって下部開口を経由して集塵容器の外部まで延在する、延在部材と、を備える。
【０００７】
上記集塵装置において好ましくは、底蓋は、底面に交差する向きの内周面を有し、延在部材は、底蓋が下部開口を閉じた状態で、底蓋の内周面に沿って延びるように形成されている。延在部材は、円錐面の一部を構成する形状を有してもよい。
【０００８】
上記集塵装置において好ましくは、集塵容器の外面に取り付けられ、底蓋を回動可能に支持するヒンジ部を備え、延在部材は、外面にヒンジ部が取り付けられた位置の集塵容器の内面に固定されている。
【０００９】
上記集塵装置において好ましくは、延在部材は、先端部へ向かって先細る形状を有する。
【００１０】
上記集塵装置において好ましくは、集塵容器で捕集された塵埃を下部開口側へ移動させ圧縮する圧縮部材を備える。
【００１１】
本発明に係る電気掃除機は、上記のいずれかの局面の集塵装置を備える。
【発明の効果】
【００１２】
本発明の集塵装置によると、使用者の手を煩わせることなく、塵埃を底蓋から確実に除去することができる。
【図面の簡単な説明】
【００１３】
【図１】電気掃除機の外観図である。
【図２】サイクロン集塵装置の部分断面図である。
【図３】底蓋が開いた状態のサイクロン集塵装置の部分断面図である。
【図４】底蓋が開いた状態のサイクロン集塵装置の、集塵容器の開口付近を示す概略斜視図である。
【図５】サイクロン集塵装置の変形例の部分断面図である。
【図６】延在部材の一例を示す斜視図である。
【図７】延在部材の変形例を示す斜視図である。
【発明を実施するための形態】
【００１４】
以下、図面に基づいてこの発明の実施の形態を説明する。なお、以下の図面において、同一または相当する部分には同一の参照番号を付し、その説明は繰返さない。
【００１５】
図１は、電気掃除機Ｘの外観図である。図１に示すように、電気掃除機Ｘは、掃除機本体部１、吸気口部２、接続管３、接続ホース４、操作ハンドル５を備える。掃除機本体部１には、図示しない電動送風機、サイクロン集塵装置Ｙ、図示しない制御装置などが内蔵されている。上記電動送風機は、吸気を行なうための送風ファンおよび送風ファンを回転駆動する送風駆動モータを有する。上記制御装置は、ＣＰＵ（Central Processing Unit）やＲＡＭ（Random Access Memory）、ＲＯＭ（Read Only Memory）などの制御機器を有し、ＲＯＭに記憶された制御プログラムに従ってＣＰＵが各種の処理を実行することにより、電気掃除機Ｘを統括的に制御する。
【００１６】
掃除機本体部１は、掃除機本体部１の前端に接続された接続ホース４と、接続ホース４に接続された接続管３とを介在させて、吸気口部２に接続されている。電気掃除機Ｘでは、上記電動送風機が作動することにより、吸気口部２から空気が吸い込まれる。吸気口部２から吸気された空気は、接続管３および接続ホース４を経由してサイクロン集塵装置Ｙに流入する。サイクロン集塵装置Ｙでは、空気から塵埃が分離される。サイクロン集塵装置Ｙで塵埃が分離された後の空気は、掃除機本体部１の後端に設けられた図示しない排気口から排出される。
【００１７】
操作ハンドル５には、ユーザが電気掃除機Ｘの稼動操作や運転モードの選択操作などを行なうための、図示しない操作スイッチが設けられている。操作スイッチの近傍には、電気掃除機Ｘの現在の状態を表示するＬＥＤ（Light Emitting Diode）などの図示しない表示部も設けられている。
【００１８】
図２は、サイクロン集塵装置Ｙの部分断面図である。サイクロン集塵装置Ｙは、図２に示すように、筐体１０、集塵容器１１、内筒１２、蓋部１５などを備え、概略円筒形状に形成されている。サイクロン集塵装置Ｙは、掃除機本体部１に対して着脱可能とされている。
【００１９】
筐体１０は、円筒状に形成されており、集塵容器１１の上方の開口部を覆うように集塵容器１１に着脱可能に取り付けられている。筐体１０内には、上部フィルタユニットが設けられている。筐体１０の下部に配置された集塵容器１１は、内周面１１ｃが略円筒状で、且つ外形も略円筒状の容器である。集塵容器１１の略最上部の円周部には、接続ホース４（図１参照）と連通する流入部１１１が設けられている。また、集塵容器１１の底部には、底蓋３１０が開閉自在に取り付けられている。
【００２０】
ユーザは、掃除機本体部１からサイクロン集塵装置Ｙを取り出した後、底蓋３１０を開いて、集塵容器１１内の塵埃を外部に放出する。ユーザが底蓋３１０の開動作を操作するための操作ボタンが、集塵容器１１の外部に設けられている。ユーザが操作ボタンを操作することにより、底蓋３１０が開かれて、後述する集塵容器１１の開口３３０を経由して集塵容器１１から塵埃が排出される。
【００２１】
集塵容器１１の内部には、内筒１２が配置されている。内筒１２は、円筒状に形成されている。内筒１２には、矩形状に開口する連通口１２１が設けられており、この連通口１２１を覆うように内筒フィルタ１２２が取り付けられている。内筒フィルタ１２２は、内筒フィルタ１２２を通過して流れる空気を濾過して、空気に含まれる塵埃を除去する。たとえば、内筒フィルタ１２２は、金属製のメッシュを一層または複数層重ね合わせて形成されたエアフィルタである。内筒フィルタ１２２はまた、一定の間隔を隔てて一定のパターンで多数の貫通孔が側面に形成された中空の円筒体であってもよく、円筒形状の骨組み材に不織布が貼付されて形成されていてもよい。
【００２２】
内筒１２の下部には、集塵容器１１内の塵埃を圧縮するための螺旋状回転圧縮部１２３が設けられている。螺旋状回転圧縮部１２３は、螺旋状曲面を備えた螺旋部１２３ａ、回転軸部１２３ｂ、円盤状遮蔽部材１２３ｃを有する。
【００２３】
円盤状遮蔽部材１２３ｃは、集塵容器１１内に収納された内筒１２の下端に、一体的に接合されている。円盤状遮蔽部材１２３ｃは、集塵容器１１の底部に設けられた集塵部１０５へ塵埃をサイクロン集塵できるように、集塵容器１１の内部空間を上下に仕切るように形成されている。円盤状遮蔽部材１２３ｃは、集塵部１０５へ塵埃を効率的に誘導するとともに、集塵部１０５に収容された塵埃の再飛散を抑制し、捕集した塵埃が巻き上がり内筒フィルタ１２２が詰まることを防いでいる。円盤状遮蔽部材１２３ｃの上下方向の寸法を確保することにより、髪の毛などの長い塵埃の内筒フィルタ１２２への巻き付きが抑制されている。
【００２４】
回転軸部１２３ｂは、円盤状遮蔽部材１２３ｃから下方に向かって延在する中空の筒形状を有する。回転軸部１２３ｂは、円盤状遮蔽部材１２３ｃに接続された円筒状の上側部分と、上側部分の底蓋３１０側に接続され上側部分よりも径が縮小した円筒状の下側部分と、を有する。集塵容器１１の底部に配置される底蓋３１０には、底面３１１から突起する嵌合部１１ａが形成されており、この嵌合部１１ａに回転軸部１２３ｂの下側部分が嵌合される。
【００２５】
回転軸部１２３ｂの外周面には、圧縮部材の一例としての螺旋部１２３ａが設けられている。螺旋部１２３ａは、回転軸部１２３ｂを中心として、集塵部１０５の底面に向かって螺旋状に湾曲して延びる板状に形成されている。螺旋部１２３ａの下端、すなわち、底蓋３１０の底面３１１に近接する側の螺旋部１２３ａの端部と、底面３１１との間には、所定の寸法の隙間が形成されている。螺旋部１２３ａは、底面３１１へ向かって延在し嵌合部１１ａに嵌合される回転軸部１２３ｂの外周面に設けられるが、回転軸部１２３ｂの下端近傍には螺旋部１２３ａが設けられていない領域が形成されている。
【００２６】
螺旋部１２３ａは、集塵容器１１内に捕集され、集塵容器１１の内周面に接触して回転に対する抵抗を受けている塵埃を、螺子の運び作用によって集塵容器１１の底部の開口３３０へ向かって移動させる。集塵容器１１の底部の集塵部１０５まで移動した塵埃は、底蓋３１０との間で生じる摩擦によって、回転軸中心から外周側に向かって押し出されて圧縮される。塵埃が螺旋部１２３ａの回転によって固く圧縮され容易に解けないので、取り出し時にも空気中に飛散する問題がなく、そのままの形でゴミとして廃棄できる。
【００２７】
中空円筒状の集塵容器１１の下端部には、下部開口としての開口３３０が形成されている。底蓋３１０は、開口３３０を開閉可能に設けられている。図２に示す底蓋３１０が閉じた状態で、底蓋３１０は、開口３３０を覆って、集塵容器１１の下端部に係合している。底蓋３１０は、深皿形状に形成されている。集塵容器１１の開口３３０と底蓋３１０の底面３１１との間には所定の寸法の隙間が形成されており、これにより、螺旋部１２３ａにより開口３３０側へ移動された塵埃を底蓋３１０の内部に収容可能とされている。螺旋状回転圧縮部１２３の回転軸部１２３ｂは開口３３０を経由して集塵容器１１の外部にまで延在し、螺旋部１２３ａは、開口３３０に対応する位置がその下端となるように設けられている。
【００２８】
底蓋３１０は、底面３１１と、底面３１１に交差する向きの内周面３１２とを有する。図２に示す開口３３０を閉じた状態で、底面３１１は、集塵容器１１の内部の集塵部１０５に面している。底面３１１は、円筒形状に形成された集塵容器１１の内周面１１ｃの中心軸に対して略垂直に設けられている。底面３１１は、集塵容器１１の内部を旋回する空気の流れの回転中心線に対して、略垂直に設けられている。内周面３１２は、円錐面の一部形状に形成されている。内周面３１２は、底蓋３１０が集塵容器１１の下端部と係合する部分から、底面３１１へ向かって、径が漸次縮小する。
【００２９】
集塵容器１１の下端部の外周面１１ｄには、ヒンジ部３４０が取り付けられている。ヒンジ部３４０は、ヒンジ部３４０を回動の中心として回動可能に、底蓋３１０を支持する。底蓋３１０の周縁の一部は、ヒンジ部３４０によって支持されている。底蓋３１０がヒンジ部３４０の回りに一方の方向に回転移動することにより、底蓋３１０は集塵容器１１の開口３３０を開放し、また底蓋３１０がヒンジ部３４０の回りに他方の方向に回転移動することにより、底蓋３１０は集塵容器１１の開口３３０を閉塞する。
【００３０】
集塵容器１１の下端部の内周面１１ｃには、延在部材３２０が取り付けられている。延在部材３２０は、開口３３０を経由して底蓋３１０の底面３１１へ向かって集塵容器１１の外部にまで延在する延在部３２１と、集塵容器１１の内周面１１ｃに固定され延在部３２１を支持する支持部３２２とを有する。延在部３２１は、集塵容器１１の内周面１１ｃに沿い、内周面１１ｃの周方向に所定の長さ分延在する、リブ形状を有する。なお延在部３２１は、支持部３２２を介して集塵容器１１に固定支持される構成に限られず、たとえば延在部３２１は集塵容器１１と一体に金型成型された樹脂成型品であってもよい。
【００３１】
図２に示す底蓋３１０が開口３３０を閉じた状態において、延在部３２１は、底蓋３１０の内周面３１２に沿って延びるように配置されている。延在部３２１が底蓋３１０の内周面３１２に面接触してもよい。延在部材３２０は、延在部３２１の先端部３２３が底蓋３１０の底面３１１に接触する程度に配置されていてもよい。延在部３２１は、支持部３２２を介して集塵容器１１に固定支持されており、支持部３２２に固定されていない延在部３２１の自由端である先端部３２３が底蓋３１０の底面３１１に線接触している。延在部３２１は、開口３３０を経由して集塵容器１１の内部と外部との両方に亘って配置されている。
【００３２】
延在部材３２０の支持部３２２は、外周面１１ｄにヒンジ部３４０が取り付けられた位置の集塵容器１１の内周面１１ｃに固定されている。延在部材３２０の支持部３２２は、集塵容器１１の内周面１１ｃのうち、集塵容器１１を介在させてヒンジ部３４０と対向する位置の近傍に固定されている。略円筒形状の内周面１１ｃの、当該円筒形状の中心からヒンジ部３４０の配置位置を結んだ周方向の位置に、支持部３２２は固定されている。
【００３３】
支持部３２２の、集塵容器１１の内部空間に面する側の表面には、テーパ面３２２ａが形成され、集塵容器１１の内周面１１ｃに対して傾斜している。テーパ面３２２ａが設けられることで、支持部３２２の上端側へ向かって徐々に支持部３２２の厚みが減少する。図２に示すテーパ面３２２ａは、延在部３２１の延在方向に沿って、延在部３２１の上端から下端に渡って設けられている。テーパ面３２２ａを設けることで、支持部３２２の上端形状の段差を小さくできるので、支持部３２２にゴミが引っ掛かる不具合を回避できる。支持部３２２へのゴミの引っ掛かりをより確実に回避するために、テーパ面３２２ａの上側縁が螺旋部１２３ａの下端よりも上側にあるように、テーパ面３２２ａを形成するのがより望ましい。
【００３４】
集塵容器１１の上方の筐体１０の内部には、上部フィルタユニットが設けられている。上部フィルタユニットは、内筒１２から排気された空気をさらに濾過するＨＥＰＡ（High Efficiency Particulate Air Filter）フィルタと、ＨＥＰＡフィルタから塵埃を除去するフィルタ除塵部材とを含む。フィルタ除塵部材は、ＨＥＰＡフィルタに対して相対回転して、ＨＥＰＡフィルタに衝突して振動を与え、ＨＥＰＡフィルタに付着した塵埃が叩き落とす。
【００３５】
筐体１０の上方には、上部フィルタユニットの上側を覆うように筐体１０に着脱自在に蓋部１５が設けられている。蓋部１５の後部（図２右側）側には、サイクロン集塵装置Ｙから空気が流出する出口となる流出口１１３が設けられている。
【００３６】
ユーザが電気掃除機Ｘの操作スイッチを操作すると、電動送風機が駆動して、吸気口部２からの空気の吸い込みが開始される。吸気口部２から吸い込まれた空気は、流入部１１１の空気流入口１１１ａから集塵容器１１の内部に吸い込まれ、集塵容器１１の内部空間の一部を形成する分離部１０４に流入する。空気流入口１１１ａは、集塵容器１１の接線方向に向くように形成されており、分離部１０４へ流入した空気は、集塵容器１１の内周面１１ｃに沿って、集塵容器１１内を高速で旋回する。
【００３７】
このとき、旋回する空気に含まれる比較的大きい塵埃は、旋回による遠心力で集塵容器１１の内周面１１ｃに押し付けられる。塵埃は、内周面１１ｃから抵抗を受けて旋回の速度を失い、旋回空気から分離（遠心分離）されて落下し、集塵容器１１の底側の内部空間を形成する集塵部１０５に収容され捕集される。
【００３８】
一方、塵埃が遠心分離された後の空気は、集塵容器１１内を上昇して流れ、内筒１２を通過して集塵容器１１から流出し、上述した上部フィルタユニットを通過した後に、流出口１１３を経由してサイクロン集塵装置Ｙの外部に排出される。集塵容器１１から流出口１１３まで空気が流通する経路上には、内筒フィルタ１２２と上部フィルタユニットとが配置されている。
【００３９】
内筒１２を経由して集塵容器１１から流出する空気流中の比較的小さい塵埃は、内筒フィルタ１２２によって分離される。内筒フィルタ１２２で濾過された後の空気は、内筒１２内を経由して、上部フィルタユニットに導かれる。上部フィルタユニットにおいて、ＨＥＰＡフィルタによって、空気流中のさらに微小な塵埃が分離される。本実施の形態のサイクロン集塵装置Ｙでは、内筒フィルタ１２２およびＨＥＰＡフィルタの二段階で空気を濾過して、集塵容器１１から流出する空気からの塵埃を分離することにより、長時間の使用にも塵埃の捕集力の低下がしにくいようにしている。
【００４０】
また、掃除運転終了後は、ユーザがサイクロン集塵装置Ｙの外部から取っ手３１４を回転させると、フィルタ除塵部材が回転してＨＥＰＡフィルタに接触することにより、ＨＥＰＡフィルタに付着した塵埃が除去される。ＨＥＰＡフィルタから落下した塵埃は、内筒１２の内部を通って、集塵容器１１の内部に落下する。フィルタ除塵部材を回転するには、図示しないモータを利用して回転させてもよい。
【００４１】
図３は、底蓋３１０が開いた状態のサイクロン集塵装置Ｙの部分断面図である。図４は、底蓋３１０が開いた状態のサイクロン集塵装置Ｙの、集塵容器１１の開口３３０付近を示す概略斜視図である。なお図４では、簡単のために、集塵容器１１の内部に収容された螺旋状回転圧縮部１２３、底蓋３１０の底面３１１に設けられた嵌合部１１ａなどは、図示を省略されている。
【００４２】
集塵容器１１の内部でサイクロン集塵された塵埃は、上述した螺旋部１２３ａが回転することにより、集塵容器１１の下端部側へ移動する。螺旋部１２３ａの回転により集塵容器１１の開口３３０を通過して塵埃が集塵部１０５へ送られると、塵埃は底蓋３１０の底面３１１と螺旋部１２３ａの下端との間の空間内に、順に堆積する。底面３１１上に堆積した塵埃は、螺旋部１２３ａの回転によって、底面３１１と内周面３１２とを有する深皿形状の底蓋３１０の内部で固く圧縮され、底蓋３１０内で固まった状態となって蓄積される。
【００４３】
集塵容器１１の内周面１１ｃの、底蓋３１０の回動の中心となるヒンジ部３４０の設けられている側に、延在部材３２０が配置されている。延在部材３２０の延在部３２１は、底蓋３１０の内周面３１２に沿って配置されており、そのため、底蓋３１０の底面３１１と内周面３１２とに押し付けられて固まった塵埃と、内周面３１２と、の間に、延在部３２１が介在する。この延在部３２１は、図３および図４より明らかなように、底蓋３１０と共にヒンジ部３４０回りの回転移動をせず、集塵容器１１に固定されている。ヒンジ部３４０の回りに底蓋３１０を回転移動させるとき、延在部材３２０は、底蓋３１０および底蓋３１０内に蓄積された塵埃に対して、相対移動する。
【００４４】
底蓋３１０が閉じた状態で底蓋３１０の内周面３１２と塵埃との間にあった延在部材３２０は、底蓋３１０の回転時に、底蓋３１０内に溜まった塵埃を掘り起こし、底蓋３１０の底面３１１および内周面３１２から塵埃を引き離す。底蓋３１０を開けるとき、延在部材３２０は、底蓋３１０の底面３１１および内周面３１２から底蓋３１０内に固着した塵埃をかき出すように機能する。そのため、底蓋３１０を開けるのみの簡単な操作により、塵埃を底蓋３１０から確実に除去することができる。
【００４５】
底蓋３１０を開ける操作を行なうと確実に集塵容器１１から塵埃を排出することができるので、塵埃を排出させるための追加の操作は必要ない。使用者は、塵埃に直接触れて塵埃を除去する必要はなく、また、底蓋３１０を開けた後に塵埃を除去するための他の動作を行なう必要もない。したがって、使用者の手を煩わせることなく、集塵容器１１からの塵埃の排出を確実に行なうことができる。
【００４６】
集塵容器１１内に塵埃がサイクロン捕集されるとき、延在部材３２０の延在部３２１は、底蓋３１０の内周面３１２に沿って配置されている。塵埃は、集塵部１０５に面する側の延在部３２１の表面に沿って底蓋３１０の底面３１１上に堆積され、その結果、底蓋３１０に堆積する塵埃と底蓋３１０の内周面３１２との間に、延在部３２１が介在する。底蓋３１０の内部にドーナツ状に固められた状態の塵埃の外周の一部は、内周面３１２に触れず延在部３２１の表面に接触する。塵埃の塊と底蓋３１０の内周面３１２との間に延在部３２１が介在することで、塵埃の塊の表面の一部は底蓋３１０の内周面３１２に固着しない。したがって、底蓋３１０を開けるとき、より確実に塵埃を底蓋３１０の内周面３１２から引き離すことができるので、集塵容器１１で捕集され底蓋３１０に堆積された塵埃を、底蓋３１０を開ける操作によって確実に底蓋３１０から除去することができる。
【００４７】
底蓋３１０の回転の中心となるヒンジ部３４０の近傍に延在部材３２０を固定することにより、延在部材３２０の延在方向と底蓋３１０の回転方向との角度の差が大きくなる。底蓋３１０に固着した塵埃が底蓋３１０と共に移動する方向と、延在部材３２０の延在方向と、の角度の差を大きくできるので、延在部材３２０が塵埃を底蓋３１０から掘り起こす作用をより大きくできる。したがって、塵埃をより効率的に底蓋３１０から引き離して廃棄することができる。
【００４８】
延在部材３２０の高さを、先端部３２３が底蓋３１０の底面３１１に接触する程度に規定することで、延在部材３２０が底蓋３１０の内周面３１２から塵埃をかき出し持ち上げようとする力がより増大する。したがって、底蓋３１０を開けるとき、一層確実に塵埃を底蓋３１０の内周面３１２から引き離すことができる。
【００４９】
螺旋部１２３ａが設けられることにより、集塵容器１１に捕集された塵埃は圧縮され固められる。螺旋部１２３ａにより圧縮された状態の塵埃を、底蓋３１０を開けることにより底蓋３１０の内側から掘り起こして一体として落下させることができるので、塵埃を廃棄するときの塵埃の飛散を抑制することができる。圧縮された塵埃は、圧縮力の反作用として広がろうとする力が作用することにより底蓋３１０から外れにくくなるが、本実施の形態の延在部材３２０を設けることにより、底蓋３１０を開けるのみの操作で容易に塵埃を底蓋３１０から引き離し、集塵容器１１および底蓋３１０の内部から確実に塵埃を取り除くことができる。
【００５０】
螺旋状回転圧縮部１２３の回転軸部１２３ｂが、底蓋３１０側で径が相対的に小さくなる形状に形成されているために、回転軸部１２３ｂ、螺旋部１２３ａの下面、底蓋３１０の底面３１１および内周面３１２で区画される領域の容積が増大している。螺旋部１２３ａによって集塵部１０５へ送られる塵埃は、当該領域の内部に圧縮されて溜められる。当該領域の容積を大きくすることで、塵埃の収容能力を高めて塵埃の廃棄の頻度を低減できメンテナンス性を向上できる。加えて、圧縮された塵埃が広がろうとする力が回転軸部１２３ｂと内周面３１２とに作用する力の大きさを小さくできるので、塵埃が底蓋３１０と回転軸部１２３ｂとの間に挟まれて外れなくなる不具合の発生を抑制でき、さらに容易に塵埃を集塵容器１１および底蓋３１０から取り除くことができる。
【００５１】
図５は、サイクロン集塵装置Ｙの変形例の部分断面図である。図２に示す例と比較して、図５に示すサイクロン集塵装置Ｙでは、延在部材３２０の形状において異なっている。より具体的には、延在部３２１を固定支持する支持部３２２に形成されたテーパ面３２２ａが、支持部３２２の上端部付近の一部にのみ設けられている。このように支持部３２２を形成しても、テーパ面３２２ａによって支持部３２２の上端の段差形状を小さくできることにより、図２に示す例と同様に、支持部３２２へのゴミの引っ掛かりを抑制することができる。
【００５２】
図６は、延在部材３２０の一例を示す斜視図である。図６から明らかなように、底蓋３１０の内周面３１２が円錐面の一部形状に形成されている場合、延在部材３２０の延在部３２１は、内周面３１２の形状に対応する円錐面の一部を構成する形状を有するように形成されるのが望ましい。このようにすれば、延在部３２１を円錐面形状の内周面３１２に確実に沿わせて延在させることができ、延在部３２１を内周面３１２により近接させて配置することができる。したがって、延在部材３２０が塵埃をサイクロン捕集するときの空気の旋回する流れの妨げとなることを回避し、かつ、底蓋３１０に固まって溜められた塵埃を、延在部材３２０を使用して一層確実に底蓋３１０から取り除き、容易に捨てることができる。
【００５３】
図７は、延在部材３２０の変形例を示す斜視図である。延在部材３２０の延在部３２１の形状は、矩形状の平板がその長辺方向に沿って湾曲した図６に示すような形状でもよいが、図７に示す延在部３２１の先端部３２３へ向かって先細る形状であってもよい。底蓋３１０内部での延在部材３２０の配置次第では、底蓋３１０内に堆積した塵埃が延在部３２１に絡みつく可能性がある。先端部３２３へ向かって先細る形状に延在部３２１を形成すれば、塵埃が延在部３２１に絡まったとしても、絡まった塵埃が底蓋３１０の開放時に延在部３２１からより容易に抜けて落下することができる。したがって、集塵容器１１からの塵埃の排出をさらに確実に行なうことができる。また、延在部材３２０は、先端部３２３へ向かって先細る形状にすることで、先端部３２３のコーナー部の折れなどの破損を防止することができる。
【００５４】
先端部３２３を完全に尖った形状にすると塵埃のかき出し効果が小さくなるので、図７に示すように、先端部３２３が所定の長さ分直線的に延びる形状とし、略台形状の延在部３２１を設けるのがより好ましい。
【００５５】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００５６】
１  掃除機本体部、１１  集塵容器、１１ｃ  内周面、１１ｄ  外周面、１０４  分離部、１０５  集塵部、１１１  流入部、１１３  流出口、１２３  螺旋状回転圧縮部、１２３ａ  螺旋部、１２３ｂ  回転軸部、１２３ｃ  円盤状遮蔽部材、３１０  底蓋、３１１  底面、３１２  内周面、３１４  取っ手、３２０  延在部材、３２１  延在部、３２２  支持部、３２３  先端部、３３０  開口、３４０  ヒンジ部、Ｘ  電気掃除機、Ｙ  サイクロン集塵装置。
【図１】
2013017617.tif 000003
【図２】
2013017617.tif 000004
【図３】
2013017617.tif 000005
【図４】
2013017617.tif 000006
【図５】
2013017617.tif 000007
【図６】
2013017617.tif 000008
【図７】
2013017617.tif 000009